(57)【要約】【課題】  施解錠を検知する仕組みを簡素化することで安価に製造でき、施錠または解錠したことを確認できるキーホルダーを提供すること。【解決手段】  所定の鍵を保持するキーホルダーであって、施錠または解錠の操作を行う際に、キーホルダーをグリップする手で加圧検知スイッチを加圧すると、現在時刻を加圧時刻として記憶する手段を有する。また、前記加圧時刻を自キーホルダーが備える表示部に表示する手段と、加圧時刻を所定の宛先へ通知する加圧時刻通知手段を有する。【選択図】    図１
2016132863.tif 000002
【特許請求の範囲】
【請求項１】
所定の鍵を保持すると共に、前記鍵を保持したまま施錠または解錠の操作を行うキーホルダーであって、
前記鍵による施錠または解錠の操作を行う際に、自キーホルダーをグリップする手で加圧される所定の部位に形成された加圧検知スイッチと、
前記加圧検知スイッチへの加圧を検出した場合に現在時刻に係る情報を取得する加圧時刻取得手段と、
前記取得した現在時刻に係る情報を記憶する加圧時刻記憶手段と、
前記現在時刻に係る情報を自キーホルダーが備える表示部に表示する加圧時刻表示手段または前記現在時刻に係る情報を所定の宛先へ通知する加圧時刻通知手段と、
を有することを特徴とする施錠確認機能を有するキーホルダー。
【請求項２】
請求項１に記載のキーホルダーであって、
前記加圧検知スイッチは、前記鍵による施錠の操作を行う際に、自キーホルダーをグリップする手で加圧される第１の部位に形成された施錠加圧検知スイッチと、前記鍵による開錠の操作を行う際に、自キーホルダーをグリップする手で加圧される第２の部位に形成された施錠加圧検知スイッチから成り、
前記加圧時刻記憶手段または前記加圧時刻表示手段または前記加圧時刻通知手段は、前記加圧時刻取得手段が取得した現在時刻が、施錠または解錠のいずれの操作による加圧であるかに係る情報を記憶または表示または通知することを特徴とする施錠確認機能を有するキーホルダー。
【発明の詳細な説明】
【技術分野】
【０００１】
本発明は、施錠時刻を再表示または所定の宛先へ通知することによって、利用者が施錠した行為を確認できるようにする施錠確認機能を有するキーホルダーに関する。
【背景技術】
【０００２】
従来、施錠時刻を表示させることによって、利用者が施錠したことを思い出せるように支援する携帯型施錠確認支援装置が知られている（例えば、特許文献１）。
【０００３】
この特許文献１に記載された携帯型施錠確認支援装置は、複数の半導体感圧素子で構成された感圧センサを有したキーホルダーを備え、利用者が施解錠する際のキーホルダーの回転を検知すると、検知時刻を記憶し、後に記憶した検知時刻を表示することができるものである。これにより、施解錠実施場所から離れた外出先においても施解錠確認ができ、利用者の確認負担を軽減できる。
【０００４】
しかしながら、特許文献１に記載された技術は、複数の半導体感圧素子で構成された感圧センサを使用することが前提であり、そのことにより、装置が大きくなることと、価格が高くなるという問題がある。
【先行技術文献】
【特許文献】
【０００５】
【特許文献１】特開２００３−１２９７０９号公報
【発明の概要】
【発明が解決しようとする課題】
【０００６】
そこで、本発明の課題は、施解錠を検知する仕組みを簡素化することで安価に製造でき、施錠または解錠したことを確認できるキーホルダーを提供することにある。
【課題を解決するための手段】
【０００７】
上記課題を解決するために、本発明は、所定の鍵を保持すると共に、前記鍵を保持したまま施錠または解錠の操作を行うキーホルダーであって、前記鍵による施錠または解錠の操作を行う際に、自キーホルダーをグリップする手で加圧される所定の部位に形成された加圧検知スイッチと、前記加圧検知スイッチへの加圧を検出した場合に現在時刻に係る情報を取得する加圧時刻取得手段と、前記取得した現在時刻に係る情報を記憶する加圧時刻記憶手段と、前記現在時刻に係る情報を自キーホルダーが備える表示部に表示する加圧時刻表示手段または前記現在時刻に係る情報を所定の宛先へ通知する加圧時刻通知手段と、を有することを特徴とする。
【発明の効果】
【０００８】
本発明によれば、施錠を検知する場合であっても、解錠を検知する場合であっても、１つの加圧検知スイッチで構成できるため、誤検知が少なく、施錠または解錠したことを確認可能なキーホルダーを安価に提供できる。
【図面の簡単な説明】
【０００９】
【図１】本発明によるキーホルダー１の内部ブロック図および全体図
【図２】本発明によるキーホルダー１の動作フローチャート
【図３】本発明によるキーホルダー１の実施例であって、施錠または解錠時に利用者が加圧検知スイッチを押すタイプの上面図
【図４】本発明によるキーホルダー１の実施例であって、施錠または解錠時に利用者が加圧検知スイッチを押すタイプの横断面図
【図５】本発明によるキーホルダー１の実施例であって、施錠または解錠時に錠前にキーを挿入すると加圧検知スイッチが押されるタイプの上面図
【図６】本発明によるキーホルダー１の実施例であって、施錠または解錠時に錠前にキーを挿入すると加圧検知スイッチが押されるタイプの横断面図
【発明を実施するための形態】
【００１０】
以下、本発明の実施形態について、図面を用いて説明する。
【００１１】
図１は、本発明による施錠確認機能を有するキーホルダー（以下、本キーホルダーと略す）の内部ブロック構成を含む全体図である。
【００１２】
まず、本キーホルダーは、所定の鍵を固定する部位を含み、施錠通知先である携帯端末１５とはネットワーク１４を介して接続される。
【００１３】
次に、本キーホルダーの内部ブロック図について説明する。キーホルダー１は、加圧検知スイッチ２、接触検知部３、主制御部４、音声信号出力部５、スピーカ６、表示制御部７、表示装置８、表示操作部９、記憶部１０、計時回路１１、通知制御部１２、無線通信制御部１３から構成される。
【００１４】
加圧検知スイッチ２は、施錠または解錠の操作時に本キーホルダーをグリップする手により加圧される部位である。
【００１５】
接触検知部３は、加圧検知スイッチ２で加圧されたことを検出し、主制御部４へ出力する。
【００１６】
主制御部４は、キーホルダー１の全体を制御する手段であって、接触検知部３、音声信号出力部５、表示制御部７、表示操作部９、記憶部１０、計時回路１１、通知制御部１２
との間で各種データを入出力および処理を実行する。
【００１７】
音声信号出力部５は、主制御部４から入力した音声信号を増幅してスピーカ６へ出力する。
【００１８】
表示制御部７は、主制御部４から入力した信号を表示信号に変換して表示装置８へ出力する。
【００１９】
表示装置８は、表示制御部７から受信した信号をディスプレイに表示する装置である。
【００２０】
表示操作部９は、表示装置８に表示されている情報を切替えるための信号を主制御部４へ出力する。
【００２１】
記憶部１０は、接触検知部３で検出した加圧時刻を記憶しておく手段である。複数の加圧時刻を記憶することが可能である。
【００２２】
計時回路１１は、実時刻を生成する手段であり、主制御部４へ出力する。
【００２３】
通知制御部１２は、接触検知部３で検出した加圧時刻を携帯端末１５へ通知するための手段であり、主制御部４より入力した信号を通知信号に変換して無線通信制御部１３へ出力する。通知に失敗した場合には、無線通信制御部１３から通知失敗した旨の信号を受信し、主制御部４へ出力する。
【００２４】
無線通信制御部１３は、通知制御部１２から受信した通知信号を、通知先である携帯端末１５へネットワーク１４を介して送信する。送信に失敗した場合には、ネットワーク１４から送信失敗した旨の信号を受信し、通知制御部１２へ出力する。
【００２５】
図２は、キーホルダー１の動作フローチャートである。
【００２６】
本フローのスタート後（Ｓ２００）、鍵を固定したキーホルダー１を手でグリップし、所定の錠前に鍵を挿入し、施錠または解錠の操作を行う際に、加圧検知スイッチ２を加圧したならば（Ｓ２０１：ＹＥＳ）、接触検知部３が主制御部４へ加圧検知信号を送信する（Ｓ２０２）。
【００２７】
主制御部４が加圧検知信号を受信すると、計時回路１１の現在時刻を取得し、記憶部１０へ格納する（Ｓ２０３）。
【００２８】
音声信号出力部５は主制御部４から入力した音声信号を増幅してスピーカ６へ出力し、施錠または解錠があったことを音声にて知らせる（Ｓ２０４）。
【００２９】
表示制御部７は、記憶部１０に格納された加圧時刻を主制御部４から受信し、受信した加圧時刻を表示信号に変換して表示装置８へ出力する（Ｓ２０５）。
【００３０】
通知制御部１２は、記憶部１０に格納された加圧時刻の通知を生成し、予め設定された所定の宛先である携帯端末１５へ無線通信制御部１３を経由して通知を送信する（Ｓ２０６）。送信が失敗したならば（Ｓ２０７：ＮＯ）、主制御部４は、通知制御部１２から加圧時刻の通知送信に失敗した旨を受信し、表示制御部７へ通知エラーを送信し、表示装置８に通知エラーを表示する（Ｓ２０８）。
【００３１】
Ｓ２０６で通知送信が成功した場合（Ｓ２０７：ＹＥＳ）、Ｓ２０９へ進む。
【００３２】
表示装置８に通知エラーを表示してから予め設定された一定時間を経過したならば（Ｓ２０９：ＹＥＳ）、Ｓ２１１へ進む。
【００３３】
Ｓ２０９で一定時間経過しない場合（Ｓ２０９：ＮＯ）、そのまま滞留する。
【００３４】
表示操作部９がＯＮしない場合（Ｓ２１０：ＮＯ）、Ｓ２０９へ戻る。
【００３５】
表示操作部９がＯＮした場合（Ｓ２１０：ＹＥＳ）、主制御部４は、計時回路１１の現在時刻を取得し、表示制御部７へ送信し、表示装置８に現在時刻を表示し（Ｓ２１１）、Ｓ２０１へ戻る。
【００３６】
本フローのスタート後（Ｓ２００）、加圧検知スイッチ２が加圧されない場合（Ｓ２０１：ＮＯ）、表示操作部９をＯＮしたならば（Ｓ２２１：ＹＥＳ）、表示制御部７は、記憶部１０に格納された前回の加圧時刻を主制御部４から受信し、受信した加圧時刻を表示信号に変換して表示装置８へ出力する（Ｓ２２２）。
【００３７】
Ｓ２２１で表示操作部９がＯＮしない場合（Ｓ２２１：ＮＯ）、Ｓ２０１へ戻る。
【００３８】
表示装置８に前回加圧時刻を表示してから予め設定された一定時間を経過したならば（Ｓ２２３：ＹＥＳ）、Ｓ２１１へ進む。
【００３９】
Ｓ２２３で一定時間経過しない場合（Ｓ２２３：ＮＯ）、そのまま滞留する。
【００４０】
表示操作部９がＯＮしない場合（Ｓ２２４：ＮＯ）、Ｓ２２３へ戻る。
【００４１】
表示操作部９がＯＮした場合（Ｓ２２４：ＹＥＳ）、表示制御部７は、記憶部１０に格納された前々回の加圧時刻を主制御部４から受信し、受信した加圧時刻を表示信号に変換して表示装置８へ出力し（Ｓ２２５）、Ｓ２０９へ進む。
【００４２】
次に、本キーホルダーを構成するキーホルダー１の実施例について説明する。
【００４３】
キーホルダー１は、様々な鍵を保持できる汎用性のあるキーホルダーであり、図３は、本発明によるキーホルダー１の実施例であって、施錠または解錠時に利用者が加圧検知スイッチを押すタイプの上面図である。
【００４４】
図４は、本発明によるキーホルダー１の実施例であって、施錠または解錠時に利用者が加圧検知スイッチを押すタイプの横断面図である。
【００４５】
まず、本キーホルダー使用における準備段階として、利用者は、キーホルダー１のヒンジ２２を支点としてキーホルダー開閉部２４を開ける。次に、鍵２１のキーヘッド２１Ａをキーヘッド台座２３Ａとキーヘッド押さえ２３Ｂの間に固定し、キーホルダー開閉部２４を閉めると、鍵２１を保持したキーホルダー１が構成される。
【００４６】
次に、施錠する場合の動作として、利用者は、キーホルダー１をグリップし、鍵２１と対となる錠前に鍵２１を挿入する際に、グリップする手で加圧検知スイッチ２Ａを加圧すると、接触検知部３Ａは、加圧されたことを検出する。解錠する場合の動作も同様である。
【００４７】
本キーホルダーは、上述の固定方法とは逆の手順でキーホルダー１から鍵２１を簡単に取り外すことができる。従って、保持される鍵を簡単に交換できる。
【００４８】
図５は、本発明によるキーホルダー１の実施例であって、施錠または解錠時に錠前にキーを挿入すると加圧検知スイッチが押されるタイプの上面図である。
【００４９】
図６は、本発明によるキーホルダー１の実施例であって、施錠または解錠時に錠前にキーを挿入すると加圧検知スイッチが押されるタイプの横断面図である。
【００５０】
本キーホルダー使用における準備段階は、前記図５、図６の実施例の場合と同様に、鍵２１を保持したキーホルダー１を構成する。
【００５１】
次に、施錠する場合の動作として、利用者は、キーホルダー１をグリップし、鍵２１と対となる錠前に鍵２１を挿入する際に、グリップする手でキーホルダー１を錠前側に押し切ると、加圧検知スイッチ２Ｂが加圧され、接触検知部３Ｂは、加圧されたことを検出する。解錠する場合の動作も同様である。
【００５２】
本キーホルダーは、施錠または解錠した直後に音声が出力されるため、施錠せずに外出しようとした場合に音声が鳴らないことで、施錠忘れに気付きやすく、施錠忘れを防止する効果が期待できる。
【００５３】
また、外出後に施錠したことを確認したい場合には、キーホルダーの表示装置に加圧時刻を再表示することで確認が可能である。更には、外出時に携帯端末を所持していれば、携帯端末でも加圧時刻を確認することが可能であり、外出した時刻と加圧時刻が一致しないことに気付いた場合に、素早く施錠しに行くことで、防犯上のリスクを軽減できるという利点がある。
【００５４】
本キーホルダーにおいては、錠前側への追加設備が不要であるため、設置に関わる工事の手間とコストが掛からない。
【００５５】
また、キーホルダー側の施錠または解錠を検知するための手段として利用者による加圧を用いることにより、構成がシンプルで誤作動することが少なく、安価に製造することが可能である。
【００５６】
更に、一般的な鍵の形状であれば、キーホルダーに固定できるため、汎用性が高いという利点もある。
【符号の説明】
【００５７】
１      キーホルダー
２      加圧検知スイッチ
２Ａ    加圧検知スイッチ
２Ｂ    加圧検知スイッチ
３      接触検知部
３Ａ    接触検知部
３Ｂ    接触検知部
４      主制御部
５      音声信号出力部
６      スピーカ
７      表示制御部
８      表示装置
９      表示操作部
１０    記憶部
１１    計時回路
１２    通知制御部
１３    無線通信制御部
１４    ネットワーク
１５    携帯端末
２１    鍵
２１Ａ  キーヘッド
２２    ヒンジ
２３Ａ  キーヘッド台座
２３Ｂ  キーヘッド押さえ
２４    キーホルダー開閉部
【図１】
2016132863.tif 000003
【図２】
2016132863.tif 000004
【図３】
2016132863.tif 000005
【図４】
2016132863.tif 000006
【図５】
2016132863.tif 000007
【図６】
2016132863.tif 000008